(57)【特許請求の範囲】
【請求項１】
上縁側に複数の孔が形成されているベース体と、一辺側に複数の孔が形成されている複数枚のカレンダー用紙とが、それぞれの孔を貫く綴じ具によって綴じられ、前記カレンダー用紙が回動可能とされている卓上カレンダーであって、
前記ベース体は、互いの上縁を突き合わした配置の前面部と背面部と、前記前面部の下縁と前記背面部の下縁とを繋ぐ配置の底面部と、前記底面部と面一に延在した姿勢安定部と、を有しており、
前記背面部は、前記底面部に対し垂直に立設されており、
前記姿勢安定部は、前記背面部に対し垂直に設けられており、
前記前面部の両側の縁には、同じ高さに前側係止部が設けられ、前記背面部の両側の縁には、同じ高さに背側係止部が設けられており、
前記背側係止部は、前記前側係止部よりも前記底面部寄りに設けられており、
前記ベース体の前面部側に眼鏡のレンズが位置するように、前記眼鏡のツルが前記前側係止部と前記背側係止部に架け渡されて係止された状態で、前記眼鏡が前記ベース体に保持されるように構成されていることを特徴とする卓上カレンダー。
【請求項２】
前記複数枚のカレンダー用紙には、それぞれ顔が印刷されており、
前記前面部側に前記カレンダー用紙が配されている場合、前記顔の目が前記前側係止部の間に位置することを特徴とする請求項１に記載の卓上カレンダー。
【請求項３】
前記前面部には前記カレンダー用紙の下端側でその一部が隠れる位置に設けられた折り線と、前記折り線の両端部を繋ぐ切り込みが形成されており、前記切り込みに沿って切られた前記前面部の一部が折り起こされて形成される用紙調整片が設けられていることを特徴とする請求項２に記載の卓上カレンダー。
【請求項４】
前記前面部側に配されている前記カレンダー用紙に重ねて設置される装飾部材を、前記綴じ具に着脱可能に備えたことを特徴とする請求項１〜３のいずれか一項に記載の卓上カレンダー。
【発明の詳細な説明】
【技術分野】
【０００１】
本発明は、卓上カレンダーに関する。
【背景技術】
【０００２】
従来、底面部と前面部と背面部とを有し、側面視して略二等辺三角形に形成されている台紙に、複数枚のカレンダー用紙が回動可能に綴じられている卓上カレンダーが知られている（例えば、特許文献１参照。）。
【先行技術文献】
【特許文献】
【０００３】
【特許文献１】特開２００９−２１４４４９号公報
【発明の概要】
【発明が解決しようとする課題】
【０００４】
しかしながら、上記特許文献１の卓上カレンダーの場合、前面部側にあるカレンダー用紙の枚数と背面部側にあるカレンダー用紙の枚数とに差がある状態はバランスが悪く、潜在的に姿勢を崩し易く不安定であることがわかった。これは、台紙に綴じられているカレンダー用紙の枚数が多くなるほど顕在化してくる。
【０００５】
本発明の目的は、姿勢安定性がよい卓上カレンダーを提供することである。
【課題を解決するための手段】
【０００６】
以上の課題を解決するため、請求項１に記載の発明は、
上縁側に複数の孔が形成されているベース体と、一辺側に複数の孔が形成されている複数枚のカレンダー用紙とが、それぞれの孔を貫く綴じ具によって綴じられ、前記カレンダー用紙が回動可能とされている卓上カレンダーであって、
前記ベース体は、互いの上縁を突き合わした配置の前面部と背面部と、前記前面部の下縁と前記背面部の下縁とを繋ぐ配置の底面部と、前記底面部と面一に延在した姿勢安定部と、を有しており、
前記背面部は、前記底面部に対し垂直に立設されており、
前記姿勢安定部は、前記背面部に対し垂直に設けられており、
前記前面部の両側の縁には、同じ高さに前側係止部が設けられ、前記背面部の両側の縁には、同じ高さに背側係止部が設けられており、
前記背側係止部は、前記前側係止部よりも前記底面部寄りに設けられており、
前記ベース体の前面部側に眼鏡のレンズが位置するように、前記眼鏡のツルが前記前側係止部と前記背側係止部に架け渡されて係止された状態で、前記眼鏡が前記ベース体に保持されるように構成されていることを特徴とする。
【０００７】
請求項１に記載の発明によれば、卓上カレンダーのベース体は、底面部と面一に延在して背面部に対し垂直に設けられている姿勢安定部を備えているので、ベース体（卓上カレンダー）は背面部側に傾倒し難くなっている。
例えば、前面部側に多くのカレンダー用紙があって、分厚く束なったカレンダー用紙の重みで押されるような力が作用しても、姿勢安定部を備えているベース体は姿勢を崩し難くなっており、卓上カレンダーがその自重の作用で背面部側に倒れてしまうことはない。
【０００８】
また、ベース体の背面部は底面部に対し垂直に立設されているので、前面部側から背面部側へ移動させたカレンダー用紙を、背面部に沿って自立させるようにすることができる。
例えば、万年日めくりカレンダーのように、多くのカレンダー用紙がベース体に綴じられている場合、そのカレンダー用紙の重みによって、ベース体に歪みが生じてしまうことがある。これに対し、底面部に対し垂直に立設されている背面部を有しているベース体であれば、背面部側へ移動させたカレンダー用紙を自立させることができ、その自立したカレンダー用紙をベース体の姿勢保持部材として機能させることができるので、ベース体の歪みを生じ難くすることができる。
また、背面部側に分厚く束なったカレンダー用紙がある場合でも、それらカレンダー用紙は自立してベース体の姿勢保持部材として機能するので、卓上カレンダーがその自重の作用で前面部側や背面部側に倒れてしまうことはない。
【０００９】
このように卓上カレンダーは、ベース体の前面部側により多くのカレンダー用紙がある場合でも、ベース体の背面部側により多くのカレンダー用紙がある場合でも、姿勢を崩し難くなっており、姿勢安定性がよい。
つまり、この卓上カレンダーは姿勢安定性がよいので、ユーザーは所望する場所に置いて好適に使用することができる。
また、ベース体の前面部側に眼鏡のレンズが位置するように、眼鏡のツルを前側係止部と背側係止部に架け渡して、その眼鏡を卓上カレンダーに掛け置くことができるので、卓上カレンダーを眼鏡スタンドとして使用することができる。
特に、ベース体の背側係止部は、前側係止部よりも底面部寄りの下側に設けられているので、前側係止部と背側係止部に架け渡された眼鏡のツルが背面部側に滑り落ちるようにして、眼鏡のレンズ部分を前面部側に近接させた状態で、その眼鏡をベース体で保持することができる。
つまり、一般的な眼鏡はレンズ側に重心があるので、眼鏡のレンズ部分を前面部側に寄り掛からせるようにすれば、眼鏡の姿勢を安定させた状態で保持することができ、この卓上カレンダーを、眼鏡スタンドとして好適に使用することができる。
【００１２】
請求項２に記載の発明は、請求項１に記載の卓上カレンダーにおいて、
前記複数枚のカレンダー用紙には、それぞれ顔が印刷されており、
前記前面部側に前記カレンダー用紙が配されている場合、前記顔の目が前記前側係止部の間に位置することを特徴とする。
【００１３】
請求項２に記載の発明によれば、卓上カレンダーに眼鏡を掛け置いた際に、カレンダー用紙に印刷されている顔が眼鏡を掛けたような状態になる。こうすることで、ユーザーは眼鏡の有無による顔の表情変化を楽しむことができる。
また、ユーザーは、眼鏡の有無による顔の表情変化を楽しむことに加え、様々なタイプの眼鏡を付け替えて、眼鏡の着せ替えを行うようにして顔の表情変化を楽しむこともできる。このように、卓上カレンダーに掛け置く眼鏡を付け替えるなどすれば、趣向性に富んだ卓上カレンダーとして使用することができる。
【００１４】
請求項３に記載の発明は、請求項２に記載の卓上カレンダーにおいて、
前記前面部には前記カレンダー用紙の下端側でその一部が隠れる位置に設けられた折り線と、前記折り線の両端部を繋ぐ切り込みが形成されており、前記切り込みに沿って切られた前記前面部の一部が折り起こされて形成される用紙調整片が設けられていることを特徴とする。
ここでの切り込みは、折り線と重ならず、また交差しないように形成されている。
【００１５】
請求項３に記載の発明によれば、前面部の一部を折り起こして用紙調整片を形成すれば、用紙調整片の上端部にカレンダー用紙の下端部が載った状態になり、その用紙調整片によってカレンダー用紙を僅かに持ち上げた位置にずらすように調整できる。
こうすることで、卓上カレンダーに掛け置いた眼鏡に対し、カレンダー用紙に印刷されている顔の位置を調整できる。
【００１６】
請求項４に記載の発明は、請求項１〜３のいずれか一項に記載の卓上カレンダーにおいて、
前記前面部側に配されている前記カレンダー用紙に重ねて設置される装飾部材を、前記綴じ具に着脱可能に備えたことを特徴とする。
【００１７】
請求項４に記載の発明によれば、前面部側に配されているカレンダー用紙に重ねて装飾部材を設置するようにして、カレンダー用紙に印刷されている顔などに装飾を施すことができる。
例えば、装飾部材がポリプロピレン製やポリ塩化ビニル製の薄く透明な樹脂板であって、その装飾部材にカレンダー用紙に印刷されている顔に対応させた図柄がプリントされていれば、装飾部材をカレンダー用紙に重ねて設置することで、ユーザーは装飾部材の図柄を付け加えたカレンダー用紙の顔を楽しむことができる。
このように、卓上カレンダーに取り付ける装飾部材を付け替えるようにすれば、趣向性に富んだ卓上カレンダーとして使用することができる。
【発明の効果】
【００１８】
本発明によれば、姿勢安定性がよい卓上カレンダーが得られる。
【図面の簡単な説明】
【００１９】
【図１】実施形態１の卓上カレンダーの前面側を示す斜視図である。
【図２】実施形態１の卓上カレンダーの背面側を示す斜視図である。
【図３】実施形態１の卓上カレンダーを示す側面図である。
【図４】卓上カレンダーを折り畳んだ状態を示す側面図である。
【図５】卓上カレンダーの背面側にカレンダー用紙を移動させた状態を示す斜視図である。
【図６】実施形態１の卓上カレンダーに装飾部材を取り付けた状態を示す斜視図である。
【図７】実施形態２の卓上カレンダーの前面側を示す斜視図である。
【図８】実施形態２の卓上カレンダーの背面側を示す斜視図である。
【図９】実施形態２の卓上カレンダーを示す側面図である。
【図１０】実施形態２の卓上カレンダーに眼鏡を掛け置いた状態を示す斜視図である。
【図１１】実施形態２の卓上カレンダーに眼鏡を掛け置いた状態を示す斜視図である。
【発明を実施するための形態】
【００２０】
以下、図面を参照して、本発明に係る卓上カレンダーの実施形態について詳細に説明する。但し、以下に述べる実施形態には、本発明を実施するために技術的に好ましい種々の限定が付されているが、本発明の範囲を以下の実施形態及び図示例に限定するものではない。
【００２１】
（実施形態１）
図１は、実施形態１の卓上カレンダー１００の前面側を示す斜視図であり、図２は、その卓上カレンダー１００の背面側を示す斜視図である。図３は、卓上カレンダー１００の側面図である。
【００２２】
卓上カレンダー１００は、図１に示すように、上縁側に複数の孔Ｈが形成されているベース体１０と、一辺側に複数の孔Ｈが形成されている複数枚のカレンダー用紙２０とを備え、そのベース体１０と複数枚のカレンダー用紙２０がそれぞれの孔Ｈを貫く綴じ具３０によって綴じられている。
【００２３】
ベース体１０は、所定箇所に切欠き（切り込み）が設けられている硬質紙（厚台紙）を、例えば、側面視略「４」字形状を呈するような略三角形状に折り曲げて形成した部材である。
ベース体１０は、前面部１２と背面部１３と底面部１４と姿勢安定部１５を有している。
前面部１２と背面部１３は互いの上縁を突き合わした配置になっており、底面部１４は前面部１２の下縁と背面部１３の下縁とを繋ぐ配置になっている。この底面部１４は、前面部１２と一体の部分と背面部１３と一体の部分とが重なった構造になっている。
【００２４】
具体的に、前面部１２と背面部１３の境と、前面部１２の下端で硬質紙が山折りされている。また、背面部１３の下端で硬質紙が谷折りされ、その谷折り箇所よりも先で硬質紙が山折りされて折り返されている。この折り返し部分で硬質紙が二重になるように接着されている。この折り返し部分の接着箇所が姿勢安定部１５となる。つまり、姿勢安定部１５は、背面部１３と底面部１４の間の硬質紙を二重に接着して形成されている。
また、山折りされた状態で前面部１２と一体になっている硬質紙の一部が底面部１４となり、谷折りされた状態で姿勢安定部１５を介して背面部１３と一体になっている硬質紙の一部が底面部１４となる。なお、背面部１３側の底面部１４には、谷折り状の折り目１４Ｌが形成されている。
そして、前面部１２側の底面部１４であって前面部１２下端寄りの底面部１４の一部と、背面部１３側の底面部１４であって折り目１４Ｌよりも先の自由端側の底面部１４の一部とが接着されている（図４参照）。
【００２５】
また、前面部１２側の底面部１４の端部には凸片１４ａが形成されており、その凸片１４ａを背面部１３の係止スリット１３ａに挿し込むように係止して、ベース体１０が組み立てられている。
このベース体１０が組み立てられた状態で、背面部１３は底面部１４に対し垂直に立設されている。また、姿勢安定部１５は底面部１４と面一に延在し、背面部１３に対し垂直に設けられている。換言すれば、底面部１４と姿勢安定部１５との境界において、背面部１３は底面部１４と姿勢安定部１５に対し垂直に立設されている。
なお、係止スリット１３ａは、背面部１３が底面部１４と接する位置に設けられている。
具体的に、係止スリット１３ａは、背面部１３が底面部１４と接する位置に略Ｈ字形状の切り込みを形成して設けられている。
この係止スリット１３ａは、凸片１４ａの厚みに相当する隙間を有しており、係止スリット１３ａに凸片１４ａを好適に挿し込むことが可能になっている。
また、係止スリット１３ａの上部には撓ませることができる可撓片１３ｃが形成されているので、係止スリット１３ａに凸片１４ａを挿し込んだり、係止スリット１３ａから凸片１４ａを外したりし易くなっている。
そして、図４に示すように、背面部１３の係止スリット１３ａから底面部１４の凸片１４ａを外した状態で、その凸片１４ａを綴じ具３０側に向けつつ、底面部１４の折り目１４Ｌを谷折りするようにして、ベース体１０（卓上カレンダー１００）を折り畳むことができる。
【００２６】
なお、ベース体１０は紙製であることに限らず、薄い樹脂板を折り曲げて形成したものや、ユポ（登録商標）など合成樹脂を主原料とする合成紙を折り曲げて形成したものでもよい。
【００２７】
カレンダー用紙２０は、例えば少なくとも一方の面に暦の情報が印刷されている洋紙である。
複数枚のカレンダー用紙２０はリング状の綴じ具３０によってベース体１０に綴じられており、そのカレンダー用紙２０が１枚ずつ回動されて、ベース体１０の前面部１２側から背面部１３側へ移動可能になっている。
本実施形態の卓上カレンダー１００は、万年日めくりカレンダーであり、例えば１日から３１日までの３１枚のカレンダー用紙２０がベース体１０に綴じられている。
【００２８】
綴じ具３０は、例えば、金属材料、樹脂材料あるいは紙材料からなり、ベース体１０に複数枚のカレンダー用紙２０を回動可能に保持している。
この綴じ具３０は、複数のリング部材からなるものであっても、複数のリング部が一体に形成された部材であってもよい。
本実施形態の卓上カレンダー１００では、ベース体１０の上縁側に４つの孔Ｈが２組形成されており、そのベース体１０の孔Ｈに対応するように、複数枚のカレンダー用紙２０の一辺側に４つの孔Ｈが２組形成されている。
そして、Ｏ字状の４つのリング部が一体に形成されている２つの綴じ具３０によって、複数枚のカレンダー用紙２０がベース体１０に回動可能に綴じられている。
【００２９】
次に、本実施形態の卓上カレンダー１００の構造的な特徴について説明する。
【００３０】
この卓上カレンダー１００のベース体１０は、底面部１４と面一に延在して背面部１３に対し垂直に設けられている姿勢安定部１５を備えているので、ベース体１０（卓上カレンダー１００）は背面部１３側に傾倒し難くなっている。
具体的に、前面部１２側に多くのカレンダー用紙２０があって、分厚く束なったカレンダー用紙２０の重みで押されるような力が作用しても、姿勢安定部１５を備えているベース体１０は姿勢を崩し難くなっており、卓上カレンダー１００がその自重の作用で背面部１３側に倒れてしまうことはない。
【００３１】
また、ベース体１０の背面部１３は底面部１４に対し垂直に立設されているので、図５に示すように、前面部１２側から背面部１３側へ移動させたカレンダー用紙２０を、背面部１３に沿って自立させるようにすることができる。
万年日めくりカレンダーのように、多くのカレンダー用紙２０がベース体１０に綴じられている場合、そのカレンダー用紙２０の重みによって、ベース体１０に歪みが生じてしまうことがある。
これに対し、本実施形態のベース体１０のように、底面部１４に対し垂直に立設されている背面部１３を有しているものであれば、背面部１３側へ移動させたカレンダー用紙２０を自立させることができ、その自立したカレンダー用紙２０をベース体１０の姿勢保持部材として機能させることができるので、ベース体１０の歪みを生じ難くすることができる。
【００３２】
また、背面部１３側に分厚く束なったカレンダー用紙２０がある場合でも、それらカレンダー用紙２０は自立してベース体１０の姿勢保持部材として機能するので、卓上カレンダー１００がその自重の作用で前面部１２側や背面部１３側に倒れてしまうことはない。
このように卓上カレンダー１００は、姿勢を崩し難く、姿勢安定性がよいので、ユーザーは所望する場所に卓上カレンダー１００を置いて好適に使用できる。
【００３３】
以上のように、実施形態１の卓上カレンダー１００は、ベース体１０の前面部１２側により多くのカレンダー用紙２０がある場合でも、ベース体１０の背面部１３側により多くのカレンダー用紙２０がある場合でも、姿勢を崩し難くなっているので、その姿勢安定性がよい卓上カレンダー１００をユーザーは所望する場所に置いて使用することができる。
【００３４】
なお、本発明は上記実施形態に限られるものではない。
例えば、図６に示すように、卓上カレンダー１００は、ベース体１０の前面部１２側に配されているカレンダー用紙２０に重ねて設置される複数（本実施形態では３枚）の装飾部材１を備えていてもよい。
装飾部材１は、例えば、ポリプロピレン製やポリ塩化ビニル製の薄く透明な樹脂板であり、上縁側に左右一対のフック部１ａが設けられている。
このフック部１ａはリング状の綴じ具３０に係着させることができる形状に形成されており、装飾部材１は綴じ具３０に着脱可能になっている。
【００３５】
そして、本実施形態の卓上カレンダー１００のカレンダー用紙２０には、それぞれ顔が印刷されており、そのカレンダー用紙２０がベース体１０の前面部１２側に配されている場合、ユーザーはその顔を視認して楽しむことができるようになっている。
本実施形態の卓上カレンダー１００では、３１枚のカレンダー用紙２０に３１匹の猫の顔が印刷されている。
また、装飾部材１には、カレンダー用紙２０に印刷されている顔に対応させた図柄がプリントされているので、その装飾部材１をカレンダー用紙２０に重ねて設置すれば、ユーザーは、装飾部材１の図柄を付け加えたカレンダー用紙２０の顔を視認して楽しむことができる。
図６では、図柄として眼鏡がプリントされた装飾部材１、図柄としてサングラスがプリントされた装飾部材１、図柄として眉毛がプリントされた装飾部材１を例示している。
【００３６】
このような装飾部材１が、卓上カレンダー１００の綴じ具３０に着脱可能に備えられていれば、ユーザーは、装飾部材１の図柄となっている装飾物の着せ替えを行うようにしてカレンダー用紙２０の顔の表情変化を楽しむことができる。
つまり、着脱可能な複数の装飾部材１を備えた卓上カレンダー１００であれば、その装飾部材１を付け替えるなどして、趣向性に富んだ卓上カレンダーとして使用することができる。
なお、装飾部材１の図柄は眼鏡やサングラスや眉毛であることに限らず、その図柄は任意であり、例えば、帽子やマスク、首輪やネックレスやペンダント、まつ毛や髭やアイシャドウなどであってもよい。
【００３７】
また、装飾部材１は綴じ具３０に着脱可能であるとしたが、装飾部材１はカレンダー用紙２０の上縁や、ベース体１０の上縁に着脱可能に備えられるようにしてもよい。
このようにカレンダー用紙２０やベース体１０の上縁に装飾部材１を取り付けた場合でも、装飾部材１は綴じ具３０に接触するので、本発明でいう「綴じ具３０に着脱可能な装飾部材１」は、卓上カレンダー１００に装飾部材１を取り付けた際に、綴じ具３０に接触する装飾部材１を含むものである。
【００３８】
（実施形態２）
次に、本発明に係る卓上カレンダーの実施形態２について説明する。なお、実施形態１と同様の構成については、同符号を付して説明を割愛する。
【００３９】
図７は、実施形態２の卓上カレンダー１００の前面側を示す斜視図であり、図８は、その卓上カレンダー１００の背面側を示す斜視図である。図９は、卓上カレンダー１００の側面図である。
ベース体１０は、前面部１２と背面部１３と底面部１４と姿勢安定部１５とを備えて構成されており、底面部１４と姿勢安定部１５との境界において、背面部１３は底面部１４と姿勢安定部１５に対し垂直に立設されている。
本実施形態２の卓上カレンダー１００のベース体１０には、前面部１２に前側係止部２が設けられており、背面部１３に背側係止部３が設けられている。
【００４０】
具体的に、ベース体１０の前面部１２の両側の縁には、同じ高さに前側係止部２が設けられている。
また、ベース体１０の背面部１３の両側の縁には、同じ高さに背側係止部３が設けられている。背側係止部３は、前側係止部２よりも底面部１４寄りに設けられている。
この前側係止部２と背側係止部３は、ベース体１０に眼鏡ＧのツルＴを架けるために設けられている。
【００４１】
前側係止部２は、前面部１２の側縁が略コ字状に切り欠かれて形成された切欠部２ａと、前面部１２の側縁から張り出している張出部２ｂを有している。
この張出部２ｂの上縁部分と切欠部２ａの縁の一部は一直線状に連なっており、この部分が前側係止部２に架けられた眼鏡ＧのツルＴに当接して、そのツルＴを下支えする。
【００４２】
背側係止部３は、背面部１３の側縁が略コ字状に切り欠かれて形成された切欠部３ａと、背面部１３の側縁から張り出している張出部３ｂを有している。
この張出部３ｂの上縁部分と切欠部３ａの縁の一部は一直線状に連なっており、この部分が背側係止部３に架けられた眼鏡ＧのツルＴに当接して、そのツルＴを下支えする。
【００４３】
そして、図１０に示すように、ベース体１０の前面部１２側に眼鏡ＧのレンズＬが位置するように、眼鏡ＧのツルＴが前側係止部２と背側係止部３に架け渡されて係止された状態で、眼鏡Ｇがベース体１０に保持されるようになっている。
特に、このベース体１０において、背側係止部３は前側係止部２よりも底面部１４寄りの下側に設けられているので、前側係止部２と背側係止部３に架け渡された眼鏡ＧのツルＴが背面部１３側に滑り落ちるようにして、眼鏡ＧのレンズＬ部分を前面部１２側のカレンダー用紙２０に近接させた状態で、その眼鏡Ｇをベース体１０が保持するようになっている。例えば、一般的な眼鏡ＧはレンズＬ側に重心があるので、眼鏡ＧのレンズＬ部分を前面部１２側に寄り掛からせるようにすれば、眼鏡Ｇの姿勢を安定させた状態で保持することができる。
こうして眼鏡ＧのレンズＬ部分を前面部１２側に寄り掛からせるように、眼鏡Ｇを卓上カレンダー１００に掛け置くことができる。
【００４４】
ここで、本実施形態の卓上カレンダー１００のカレンダー用紙２０には、それぞれ顔（猫の顔）が印刷されており、そのカレンダー用紙２０がベース体１０の前面部１２側に配されている場合、その顔の目が左右一対の前側係止部２の間に位置するようになっている。
こうすることで、図１０に示すように、この卓上カレンダー１００に眼鏡Ｇを掛け置いた際に、カレンダー用紙２０に印刷されている顔が眼鏡Ｇを掛けたような状態になる。
そして、ユーザーは眼鏡Ｇの有無による顔の表情変化を楽しむことができる。
【００４５】
また、図７、図１０に示すように、ベース体１０の前面部１２には、用紙調整片１２ａが設けられている。用紙調整片１２ａは、カレンダー用紙２０の上下位置を調整するために設けられている。
図７、図１０に示すように、前面部１２にはカレンダー用紙２０の下端側でその一部が隠れる位置に設けられた折り線１２ｂと、その折り線１２ｂの両端部を繋ぐ切り込み１２ｃが形成されている。そして、図１１に示すように、切り込み１２ｃに沿って切られた前面部１２の一部を折り線１２ｂに沿って折り起こして、用紙調整片１２ａを形成することができる。
【００４６】
本実施形態の用紙調整片１２ａは、例えば、略「フ」字形状の切り込み１２ｃを前面部１２に形成し、その切り込み１２ｃに沿って切り離した部分を折り線１２ｂに沿って表側に折り起こして設けられている。
特に、折り線１２ｂの上部がカレンダー用紙２０の下端側で隠れる位置に形成されているので、用紙調整片１２ａを折り起こすと、用紙調整片１２ａの上端部にカレンダー用紙２０の下端部が載った状態になる。
なお、この切り込み１２ｃは、折り線１２ｂと重ならず、また折り線１２ｂと交差しないように形成されている。また、切り込み１２ｃは、略「フ」字形状であることに限らず、例えば、略「コ」字形状などであってもよい。また、切り込み１２ｃは、鏡文字の「フ」字形状や、鏡文字の「コ」字形状などであってもよい。
【００４７】
カレンダー用紙２０の上端部はリング状の綴じ具３０で綴じられており、カレンダー用紙２０は吊り下がった状態で保持されているので、このカレンダー用紙２０にはその綴じ代分の遊びがあり、上下に僅かにずらすことが可能になっている。
つまり、前面部１２の一部を折り起こした用紙調整片１２ａの上端部にカレンダー用紙の下端部を載せるようにすれば、この用紙調整片１２ａによってカレンダー用紙２０を僅かに持ち上げた位置にずらすように調整できるようになっている。
そして、用紙調整片１２ａを利用してカレンダー用紙２０を僅かに持ち上げた位置にずらすようにすれば、カレンダー用紙２０に印刷されている顔と眼鏡Ｇの位置を調整できる。こうして、卓上カレンダー１００に掛け置いた眼鏡Ｇに対し、カレンダー用紙２０に印刷されている顔の位置を調整して、その顔が眼鏡Ｇを適正に掛けた状態にすることができる。
なお、卓上カレンダー１００に掛け置いた眼鏡Ｇと、カレンダー用紙２０に印刷されている顔の位置が適正である場合には、用紙調整片１２ａを折り起こさず使用しないようにする。
【００４８】
以上のように、実施形態２の卓上カレンダー１００であっても、ベース体１０の前面部１２側により多くのカレンダー用紙２０がある場合でも、ベース体１０の背面部１３側により多くのカレンダー用紙２０がある場合でも、姿勢を崩し難くなっているので、その姿勢安定性がよい卓上カレンダー１００をユーザーは所望する場所に置いて使用することができる。
【００４９】
特に、実施形態２の卓上カレンダー１００であれば、ベース体１０の前面部１２側に眼鏡ＧのレンズＬが位置するように、眼鏡ＧのツルＴを前側係止部２と背側係止部３に架け渡して、その眼鏡Ｇを卓上カレンダー１００に掛け置くことができるので、卓上カレンダー１００を眼鏡スタンドとして使用することができる。
【００５０】
また、ベース体１０の背側係止部３が前側係止部２よりも底面部１４寄りの下側に設けられていることによって、卓上カレンダー１００に掛け置いた眼鏡ＧのレンズＬ部分を前面部１２側のカレンダー用紙２０に近接させた状態にすることができるので、カレンダー用紙２０に印刷されている顔が眼鏡Ｇを掛けたようにして楽しむことができる。
そして、ユーザーは、眼鏡Ｇの有無による顔の表情変化を楽しむことに加え、様々なタイプの眼鏡Ｇを付け替えて、眼鏡Ｇの着せ替えを行うようにして顔の表情変化を楽しむこともできる。
このように、卓上カレンダー１００に掛け置く眼鏡Ｇを付け替えるなどすれば、趣向性に富んだ卓上カレンダーとして使用することができる。
更に、実施形態１で前述した装飾部材１を、実施形態２の卓上カレンダー１００に適用すれば、より一層趣向性に富んだ卓上カレンダーとして使用することができる。
【００５１】
以上、上述したように、本発明に係る卓上カレンダー１００は、ベース体１０の前面部１２側により多くのカレンダー用紙２０がある場合でも、ベース体１０の背面部１３側により多くのカレンダー用紙２０がある場合でも、姿勢を崩し難くなっており、姿勢安定性がよい。
この卓上カレンダー１００は姿勢安定性がよいので、ユーザーは所望する場所に置いて好適に使用することができる。
【００５２】
なお、以上の実施の形態においては、卓上カレンダー１００は、万年日めくりカレンダーであり、１日から３１日までの３１枚のカレンダー用紙２０がベース体１０に綴じられているとしたが、本発明はこれに限定されるものではなく、月毎のカレンダー用紙が１２枚綴じられている卓上カレンダーであってもよい。勿論、週めくりの卓上カレンダーであっても、２か月めくりの卓上カレンダーなどであってもよい。
【００５３】
また、本実施形態の卓上カレンダー１００では、３１枚のカレンダー用紙２０に３１匹の猫の顔が印刷されているとしたが、本発明はこれに限定されるものではなく、カレンダー用紙２０に印刷されている顔は任意であり、例えば、３１枚のカレンダー用紙２０に３１匹の犬の顔が印刷されていたり、動物園で飼育されている３１種類の動物の顔が印刷されていたりしてもよい。また、３１人のタレントやモデルの顔、またアニメなどのキャラクターの顔が印刷されていてもよい。
また、カレンダー用紙２０に印刷されている顔は、写真であってもイラストであってもよい。
【００５４】
また、その他、具体的な細部構造等についても適宜に変更可能であることは勿論である。
【符号の説明】
【００５５】
１      装飾部材
１ａ    フック部
２      前側係止部
２ａ    切欠部
２ｂ    張出部
３      背側係止部
３ａ    切欠部
３ｂ    張出部
１０    ベース体
１２    前面部
１２ａ  用紙調整片
１２ｂ  折り線
１２ｃ  切り込み
１３    背面部
１３ａ  係止スリット
１３ｂ  切欠部
１３ｃ  可撓片
１４    底面部
１４ａ  凸片
１４Ｌ  折り目
１５    姿勢安定部
２０    カレンダー用紙
３０    綴じ具
１００  卓上カレンダー
Ｈ      孔
Ｇ      眼鏡
Ｌ      レンズ
Ｔ      ツル
【図１】
0006739785.tif 000002
【図２】
0006739785.tif 000003
【図３】
0006739785.tif 000004
【図４】
0006739785.tif 000005
【図５】
0006739785.tif 000006
【図６】
0006739785.tif 000007
【図７】
0006739785.tif 000008
【図８】
0006739785.tif 000009
【図９】
0006739785.tif 000010
【図１０】
0006739785.tif 000011
【図１１】
0006739785.tif 000012